(57)【要約】【課題】表示装置と操作装置の識別情報の一致不一致を容易かつ自由に設定することを可能にした表示装置および操作装置を提供すること。【解決手段】操作装置から出力された操作信号に従って処理を実行させる制御部を備え、操作装置と表示装置の識別情報によって処理の実行、非実行を決定する表示装置であって、識別情報が同じ場合には操作信号にしたがって処理を実行し、識別情報が異なり、かつ特定時間内に第1の信号群を受信した場合に表示装置と操作装置の識別情報を合わせることを特徴とする。【選択図】図１
2016143927.tif 000002
【特許請求の範囲】
【請求項１】
操作装置から出力された操作信号に従って処理を実行させる制御部を備え、操作装置と表示装置の識別情報によって処理の実行、非実行を決定する表示装置であって、識別情報が同じ場合には操作信号にしたがって処理を実行し、識別情報が異なり、かつ特定時間内に第1の信号群を受信した場合に表示装置と操作装置の識別情報を合わせることを特徴とする表示装置。
【請求項２】
識別情報を合わせることに対する同意を示す第2の信号群を備え、前記第1の信号群を受信した後に第2の信号群を表示し、第2の信号群として表示されている信号を操作装置から受信した場合、表示装置と操作装置の識別情報を合わせることを特徴とする請求項１に記載の表示装置。
【請求項３】
以降も処理を有効にすることに同意を示す第3の信号群を備え、前記第2の信号群を受信した後に第3の信号群を表示し、第2の信号群として表示されている信号を操作装置から受信した場合、処理を有効のままにすることを特徴とする請求項１に記載の表示装置。
【請求項４】
識別情報を合わせることに対する同意と処理を有効のままにすることを示す第1の信号群と、識別情報を合わせることに対する同意と処理を無効にすることを示す第1の信号群を備え、前記第1の信号群を受信した場合は識別情報を同じにし、処理を有効のままにし、前記第2の信号群を受信した場合は識別情報を同じにし、処理を無効にすることを特徴とする請求項１に記載の表示装置。
【請求項５】
表示装置に備えられている釦によって表示装置が起動された場合に処理を有効にし、前記第1の信号群を表示することを特徴とする請求項１乃至請求項４のいずれか１項に記載の表示装置。
【発明の詳細な説明】
【技術分野】
【０００１】
本発明は、表示装置およびその操作装置に関する。
【背景技術】
【０００２】
従来、操作装置を用いて表示装置と通信する場合、操作装置の識別情報と表示装置の識別情報を合わせる必要がある。しかしながら、識別情報を変更するためには、表示装置毎に決まっている識別情報の切り替え方法を知っている必要がある。
【０００３】
従来、表示装置と操作装置の識別情報を一致させるための方法を表示する装置は知られている。例えば、特許文献１では、表示装置と操作装置に設定されている識別情報の設定方法を表示する方法が開示されている。
【先行技術文献】
【特許文献】
【０００４】
【特許文献１】特開２００９−２０１０７８号公報
【発明の概要】
【発明が解決しようとする課題】
【０００５】
しかしながら、上述の特許文献１に開示された従来技術では、表示装置と操作装置の識別情報の設定方法の表示は提示されているが、識別情報の設定方法を表示するための手段をあらかじめ知っている必要があり、さらに方法が表示されているとは言え、通常とは違う特殊な操作が必要となる。
【０００６】
そこで、本発明の目的は、あらかじめ表示装置毎に決まっている識別情報の切り替え方法を知らなくても識別情報を一致させることが可能な表示装置およびその操作装置及びその制御方法を提供することを目的とする。
【課題を解決するための手段】
【０００７】
上記の目的を達成するために、本発明は、操作装置から出力された操作信号に従って処理を実行させる制御部を備え、操作装置と表示装置の識別情報によって処理の実行、非実行を決定する表示装置であって、識別情報が同じ場合には操作信号にしたがって処理を実行し、識別情報が異なり、かつ特定時間内に第1の信号群を受信した場合に表示装置と操作装置の識別情報を合わせることを特徴とする。
【発明の効果】
【０００８】
本発明の表示装置によれば、表示装置毎に決まっている識別情報の切り替え方法を知らなくても表示装置に操作装置の識別情報を設定することができる。
【図面の簡単な説明】
【０００９】
【図１】本発明の表示装置のブロック図である。
【図２】実施例１のフローチャートである。
【図３】実施例２のフローチャートである。
【図４】実施例３のフローチャートである。
【図５】実施例４の設定例である。
【発明を実施するための形態】
【００１０】
以下に、本発明の好ましい実施の形態を、添付の図面に基づいて詳細に説明する。
【００１１】
［実施例１］
図１は実施例１にかかわる表示装置１００のブロック図である。表示装置１００は、操作信号受信部１０１に操作信号を受信した際制御部１０２にて受信した信号に付加されている識別情報と表示装置１００の持つ識別情報を比較し、付加されている識別情報と表示装置１００の持つ識別情報が同じであれば、受信した信号に合わせて処理を行う。表示装置１００は操作部１０４からの操作に対しても同様の処理を行う。操作装置２００は操作部２０１の操作を受けると、制御部２０２は操作装置２００の持つ識別情報と操作に対応する信号を組み合わせ、操作信号送信部２０３で操作信号を送信する。
【００１２】
図２は実施例１の表示装置の制御に関するフローチャートである。図２を用いて実施例について説明を行う。本実施例は、表示装置１００に識別情報の異なる操作装置から特定の操作信号パターンを受信するところから始まる。まず、特定の操作信号を受信する（１０）。本実施例では、特定の操作信号の受信は２度同じ操作信号の受信として説明するが、その他操作信号の組み合わせでもかまわない。次に、特定の操作信号の受信が特定時間内に受信しているか確認する（１１）。特定時間以内に受信している場合は、表示装置１００の識別情報を、信号を送信した操作装置の識別情報と一致させる（１２）。
【００１３】
特定時間以内に受信しなかった場合は、表示装置１００の識別情報は変更しない。この処理により、通常識別情報がことなる操作装置で行う操作によって表示装置が識別情報を一致させたいと認識し、表示装置の識別情報を変更することで、意識せずに表示装置と操作装置の識別情報を一致させることができる。
【００１４】
本実施例によれば、表示装置毎に決まっている識別情報の切り替え方法を知らなくても表示装置に操作装置の識別情報を設定することができる。
【００１５】
［実施２］
図３は実施例２のフローチャートである。実施例１との違いは自動的に表示装置の識別情報を変更するのではなく、使用者に識別情報を一致させたいかどうかを問う表示と操作を求める点である。ステップ２０、２１は実施例１と同等の処理である。ステップ２１で特定時間内に受信した場合、識別情報を一致させるための操作信号パターンを表示する（２２）。そして、操作装置から識別情報を一致させるための操作信号パターンと同じ信号コードを受信した場合はステップ２４に遷移する。識別情報を一致させるための操作信号パターンと異なる信号コードを受信した場合は表示装置の識別情報は変更しない。
【００１６】
ステップ２４では、表示装置１００の識別情報を、信号を送信した操作装置の識別情報と一致させる。この処理により、使用者は本当に識別情報を一致させたいかどうかを選択することができる。
【００１７】
本実施例によれば、表示装置毎に決まっている識別情報の切り替え方法を知らなくても表示装置に操作装置の識別情報を設定することができる。
【００１８】
［実施例３］
図４は実施例３のフローチャートである。実施例２との違いは識別情報を一致させた後に、識別情報を一致させる処理を有効のままか無効にするかを選択することができる点である。ステップ３０〜３４は実施例２と同等の処理である。処理を無効にするための操作信号パターンを表示する（３５）。処理を無効にするための操作信号パターンと同じ信号コードを受信した場合は、以降電源の切入が行われるまで同等の処理は行われなくなる（３６）。この処理により、複数の操作装置が使用される環境で意図しない識別情報の変更を抑制することができる。
【００１９】
本実施例によれば、表示装置毎に決まっている識別情報の切り替え方法を知らなくても表示装置に操作装置の識別情報を設定することができる。
【００２０】
［実施例４］
図５は実施例４のフローチャートである。実施例１との違いは識別情報を一致させるための信号パターンの表示時に処理を有効にしたまま識別情報を一致させるための信号パターンと処理を無効にして識別情報を一致させるための信号パターンの二つのパターンを表示する点である。ステップ4０、41は実施例１と同等の処理である。ステップ４１で特定時間内に受信した場合、処理を有効にしたまま識別情報を一致させるための信号パターンと処理を無効にして識別情報を一致させるための信号パターンを表示する（４２）。
【００２１】
処理を有効にしたまま識別情報を一致させるための信号パターンと同じ信号コードを受信した場合は、表示装置１００の識別情報を、信号を送信した操作装置の識別情報と一致させる（４６）。処理を無効にして識別情報を一致させるための信号パターンと同じ信号コードを受信した場合は、以降電源の切入が行われるまで同等の処理が行われないようにし、ステップ４６に遷移する（４５）。二つの信号パターンと異なる信号パターンを受信した場合は、表示装置の識別情報は変更しない。この処理により、複数の操作装置が使用される環境で意図しない識別情報の変更を抑制することができる。
【００２２】
本実施例によれば、表示装置毎に決まっている識別情報の切り替え方法を知らなくても表示装置に操作装置の識別情報を設定することができる。
【００２３】
［実施例５］
図６は表示に具備してある操作部の操作から電源が投入された際に表示される映像である。実施例１との違いは、操作装置の操作により電源が投入された場合には識別情報を一致させるための処理を行わず。本体に具備してある操作部の操作から電源が投入された場合にのみ識別情報を一致させるための処理を行う点である。操作装置と表示装置の好ましい組み合わせで電源が投入された場合は、他の操作装置に操作権をわたすことはのぞましくなく、表示に具備してある操作部の操作から電源が投入された場合には、操作装置と表示装置が好ましくない組み合わせになっているため、表示に具備してある操作部の操作から電源が投入された場合にのみ識別情報を一致させるための処理を行うことにより、望ましくない識別情報の一致を抑制することができる。
【００２４】
本実施例によれば、表示装置毎に決まっている識別情報の切り替え方法を知らなくても表示装置に操作装置の識別情報を設定することができる。
【００２５】
以上、本発明の好ましい実施形態について説明したが、本発明はこれらの実施形態に限定されず、その要旨の範囲内で種々の変形及び変更が可能である。
【符号の説明】
【００２６】
100  表示装置、101  操作信号受信部、102  制御部、103  識別情報変更部、
104  操作部、105  表示部、200  操作装置、201  操作部、202  制御部、
203  操作信号送信部、300  電源投入時の表示装置の表示、
301  電源投入時に表示される操作装置と一致させるための信号パターン例
【図１】
2016143927.tif 000003
【図２】
2016143927.tif 000004
【図３】
2016143927.tif 000005
【図４】
2016143927.tif 000006
【図５】
2016143927.tif 000007